(57)【特許請求の範囲】
【請求項１】
支柱、梁、及び／又はその交差部より外方に突出した張出し部を有する既設構造物の耐震性を補強するための方法であって、
既設構造物の所定位置にＰＣ鋼棒配設用の孔を穿設し、当該ＰＣ鋼棒配設用の孔に連通するようにシース管が配設されたコンクリートブロックを張出し部の下面に沿って、既設構造物の支柱、梁、及び／又はその交差部から、張出し部の突出先端の位置まで達するように形成し、前記ＰＣ鋼棒配設用の孔及びシース管にＰＣ鋼棒を挿入し、当該ＰＣ鋼棒の一端を既設構造物に定着し、コンクリートブロックから突き出たＰＣ鋼棒の先端にブレース材を取り付けてＰＣ鋼棒を緊締することにより、コンクリートブロックを介在させてブレース材を既設構造物に緊締圧着することを特徴とする耐震補強工法。
【発明の詳細な説明】
【０００１】
【発明の属する技術分野】
本発明は耐震補強工法、更に詳細には支柱、梁、及び／又はその交差部より外方に突出した張出し部を有する構造物について、その耐震性を補強するための方法に関する。
【０００２】
【従来の技術】
従来、既設の集合住宅等の構造物の耐震性を補強するにあたっては、その構造物の住宅内での作業を極力少なくするために、構造物の支柱、梁、及び／又はその交差部にブレース材を直接取り付ける方法が採用されている。
【０００３】
【発明が解決しようとする課題】
しかしながら、補強目的の構造物が、支柱、梁、及び／又はその交差部より外方に突出した張出し部、例えばバルコニー等を有する場合には、構造物の支柱、梁、及び／又はその交差部に対して上記ブレース材を直接取り付けるにあたっては、そのバルコニー等の張出し部を部分的に破壊しなければならないといった欠点がある。
【０００４】
本発明は上述の従来の技術の欠点に着目し、これを解決せんとしたものであり、その目的は、支柱、梁、及び／又はその交差部より外方に突出した張出し部を有する構造物に対して、その張出し部を破壊することなく、ブレース材を簡易に、しかも確実に取り付けることができる耐震補強工法を提供することにある。
【０００５】
【課題を解決するための手段】
本発明は上記の目的に鑑みてなされたものであり、その要旨とするところは、支柱、梁、及び／又はその交差部より外方に突出した張出し部を有する既設構造物の耐震性を補強するための方法であって、既設構造物の所定位置にＰＣ鋼棒配設用の孔を穿設し、当該ＰＣ鋼棒配設用の孔に連通するようにシース管が配設されたコンクリートブロックを張出し部の下面に沿って、既設構造物の支柱、梁、及び／又はその交差部から、張出し部の突出先端の位置まで達するように形成し、前記ＰＣ鋼棒配設用の孔及びシース管にＰＣ鋼棒を挿入し、当該ＰＣ鋼棒の一端を既設構造物に定着し、コンクリートブロックから突き出たＰＣ鋼棒の先端にブレース材を取り付けてＰＣ鋼棒を緊締することにより、コンクリートブロックを介在させてブレース材を既設構造物に緊締圧着することを特徴とする耐震補強工法にある。
【０００６】
この態様によれば、構造物の支柱、梁、及び／又はその交差部と、ブレース材との間に、上記張出し部の突出先端が位置する鉛直面上に少なくとも達するように延設されるコンクリートブロックを介在させ、ブレース材をコンクリートブロックと共に、上記構造物の支柱、梁、及び／又はその交差部に対して緊締圧着するようにしたので、支柱、梁、及び／又はその交差部より外方に突出した張出し部を有する構造物に対して、その張出し部を破壊することなく、ブレース材を簡易に、しかも確実に取り付けることができる。
【０００７】
また、上記工法においては、上記緊締圧着に先立って、上記ブレース材とコンクリートブロックとの間に、モルタル等のグラウト材を設けるといった態様を採用すれば、ブレース材とコンクリートブロックとの一体性をより向上させることができるといった顕著な効果が得られる。
【０００８】
【発明の実施の形態】
本発明の耐震補強工法は、鉄筋コンクリート構造物、鉄骨コンクリート構造物等の構造物に対して適用することができる。
【０００９】
本発明において「支柱、梁、及び／又はその交差部より外方に突出した張出し部」とは、例えば構造物においてその支柱、梁、及び／又はその交差部より外方に突出しているバルコニー、廊下等をいう。
【００１０】
また、本発明における「コンクリートブロック」としては、構造物における張出し部、例えばバルコニーの下面に沿って、構造物の支柱、梁、及び／又はその交差部から外方に向ってそのバルコニーの外方端面に達するように、コンクリートを延長打設することによって得られるコンクリートブロックや、構造物の支柱、梁、及び／又はその交差部から外方に向ってそのバルコニーの外方端面に達するようなサイズに予め形成したコンクリートブロック等の態様を掲げることができる。
【００１１】
本発明において、ブレース材をコンクリートブロックと共に、上記構造物の支柱、梁、及び／又はその交差部に対して緊締圧着する態様としては、一端を構造物の支柱、梁、及び／又はその交差部に定着したＰＣ鋼棒によって緊締圧着する態様が得られる。この場合、各態様のコンクリートブロックにはシース管を設ける。
【００１２】
上記ブレース材としては、具体的にはＨ形鋼、丸鋼等の鋼材の中から適当なものを採用することができる。
【００１３】
【実施例】
以下、本発明の実施例を添付図面に基づいて説明するが、本発明はこれに限定されるものではない。ここで、図１は本発明の耐震補強工法の一実施例を示す流れ図、図２は本発明の耐震補強工法による補強構造の一実施例を破断して示す概略透視斜視図、図３は図２を矢線３方向より示す概略透視縦断面図、図４は図２を矢線４方向より示す概略透視横断面図、図５は矢線５方向より示す概略側面図である。
【００１４】
本発明の耐震補強工法は、図１〜図５に示すように、支柱１１、梁１２、及び／又はその交差部１３より外方に突出した張出し部、例えばバルコニー１４を有する既設の集合住宅等の構造物１０の耐震性を補強するための工法であって、上記構造物１０にブレース材３０を取り付けるにあたり、上記バルコニー１４の突出先端１４ａが位置する鉛直面上に少なくとも達するように該構造物１０の支柱１１、梁１２、及び／又はその交差部１３から外方にコンクリートブロック２０を延設し、ブレース材３０をコンクリートブロック２０と共に、該構造物１０の支柱１１、梁１２、及び／又はその交差部１３に対してＰＣ鋼棒４０によって緊締圧着することを特徴としている。
【００１５】
本実施態様においては、図１に示すように、先ず工程ＡにおいてＰＣ鋼棒４０の一端を定着するために、構造物１０の所定位置、具体的は梁１２に複数のＰＣ鋼棒配設用孔１２ａを穿設する（本実施態様では図２〜５において梁１２にＰＣ鋼棒配設用孔１２ａを穿設する態様を示しているが、梁１２のほか、或いはこれ加えて支柱１１、及び／又は支柱１１と梁１２との交差部１３にＰＣ鋼棒配設用孔を穿設することも可能である）。次いで、工程Ｂにおいてコンクリートブロック２０を、現場にてバルコニー１４の下面に沿ってコンクリートを打設して成形する。このとき、コンクリート打設に先立って、成形後のコンクリートブロック２０が接するバルコニー１４の下面等にはハツリ処理を施しておく。また、ＰＣ鋼棒４０を配設するための複数のシース管２１を各ＰＣ鋼棒配設用孔１２ａに連通するように配設しておく。そして、夫々対応した上記コンクリートブロック２０のシース管２１及び上記梁１２のＰＣ鋼棒配設用孔１２ａに、工程ＣにおいてＰＣ鋼棒４０を配設する。コンクリートブロック２０及び梁１２を貫通して構造物に定着されるＰＣ鋼棒４０の一端には、ナット４１が螺合され、このナット４１によって複数のＰＣ鋼棒４０に跨るプレート４２が掛止されている。このナット４１及びプレート４２が、アンカー頭部を構成する態様となっている。このように各ＰＣ鋼棒４０を配設した後、工程ＤにおいてそのＰＣ鋼棒４０の他端にブレース材３０を合致させて配設する。ここでいうブレース材３０は、補強用鋼棒３１と、該補強用鋼棒３１の各端部に溶接により一体化された鉄骨材３２とからなっており、実際にはその鉄骨材３２をＰＣ鋼棒４０の他端に合致させている。この鉄骨材３２とコンクリートブロック２０との間には、工程Ｅにおいてグラウト材を注入する。グラウト材が固化した後、上述したＰＣ鋼棒４０の一端に設けたナット４１及びプレート４２と同様に、工程Ｆにおいて各ＰＣ鋼棒４０の他端にナット４３及びプレート４４を設け、各ＰＣ鋼棒４０を緊張する。こうしてブレース材３０は、構造物１０の梁１２に対して圧着されることになる。最後に、工程Ｇにおいてプレート４４に貫設されたグラウト材注入孔（図示せず）からコンクリートブロック２０のシース管２１内へグラウト材を注入し、コンクリートブロック２０とＰＣ鋼棒４０との一体化を図っている。
【００１６】
上述したように、ブレース材３０は、その各端部が、補強目的に係る構造物１０の支柱１１、梁１２、又はその交差部に対してＰＣ鋼棒４０によって緊締圧着される。このとき、構造物１０の支柱１１、梁１２、又はその交差部と、ブレース材３０との間には、上記コンクリートブロック２０を介在させている。従って、支柱１１、梁１２、又はその交差部１３より外方に突出したバルコニー１４を有する構造物に対して、そのバルコニー１４を破壊することなく、上記ブレース材３０を簡易に、しかも確実に定着することができるようになっている。
【００１７】
また、上記コンクリートブロック２０は、上記バルコニーの下面に沿って現場打設により成形されたコンクリートブロックであって、上述したようにバルコニー１４の突出先端１４ａが位置する鉛直面上に少なくとも達するように該構造物１０の支柱１１、梁１２、及び／又はその交差部１３から外方に延設されている。このコンクリートブロック２０は、ブレース材３０が締結される構造物１０の支柱１１、梁１２、又はその交差部１３に対して直交する方向に、シース管２１を内部に備えており、上記ＰＣ鋼棒４０が上記シース管２１内に挿入配設され、その摺動を可能としている。ここで、コンクリートブロックを成形するにあたっては、図３に示すように、適宜配筋５０等を施しておくことも可能である。
【００１８】
上述した本発明の耐震補強工法によれば、図６に示すように、構造物１０（集合住宅等）に対して、そのバルコニー１４等を破壊することなく、ブレース材３０を取り付けることができる。
【００１９】
尚、本発明に係るコンクリートブロックとしては、上記実施態様において採用した現場打設によるコンクリートブロックに代えて、予め工場等において成形した所定形状のプレキャストコンクリートブロックを採用することも可能であり、この態様によれば現場作業の簡略化を可能にする。
【００２０】
【発明の効果】
本発明の耐震補強工法では、構造物の支柱、梁、及び／又はその交差部と、ブレース材との間に、上記張出し部の突出先端が位置する鉛直面上に少なくとも達するように延設されるコンクリートブロックを介在させ、ブレース材をコンクリートブロックと共に、上記構造物の支柱、梁、及び／又はその交差部に対して緊締圧着する方法を採用しており、支柱、梁、及び／又はその交差部より外方に突出した張出し部を有する構造物に対して、その張出し部を破壊することなく、ブレース材を簡易に、しかも確実に取り付けることができるといった顕著な効果が得られる。
【図面の簡単な説明】
【図１】本発明の耐震補強工法の一実施例を示す流れ図である。
【図２】本発明の耐震補強工法による補強構造の一実施例を破断して示す概略透視斜視図である。
【図３】図２を矢線３方向より示す概略透視縦断面図である。
【図４】図２を矢線４方向より示す概略透視横断面図である。
【図５】図２を矢線５方向より示す概略側面図である。
【図６】本発明の耐震補強工法により補強した集合住宅を示す概略正面図である。
【符号の説明】
１０ 構造物
１１ 支柱
１２ 梁
１３ 支柱及び梁の交差部
１４ バルコニー
２０ コンクリートブロック
２１ シース管
３０ ブレース材
３１ 補強用鋼棒
３２ 鉄骨材
４０ ＰＣ鋼棒
４１，４３ ナット
４２，４４ プレート
５０ 配筋
【図１】
0003990476.tif 000002
【図２】
0003990476.tif 000003
【図３】
0003990476.tif 000004
【図４】
0003990476.tif 000005
【図５】
0003990476.tif 000006
【図６】
0003990476.tif 000007